(57)【要約】【課題】永久磁石カバーを外嵌する際の組付け公差を大きく取り、なおかつ各回転子構成部品に過大な力をかけることなく、更に温度変化に応じて熱膨張や熱収縮を繰り返す環境下に置かれても永久磁石や永久磁石カバーの破損を防ぎ、かつ永久磁石の飛散を防ぐことが可能な永久磁石型回転子を提供する。【解決手段】永久磁石カバー５は、永久磁石４の外周に組み付ける前の内径が、永久磁石４の外径より小径な環状に形成されており、かつ、周方向に１つまたは複数の伸縮可能な伸縮部５ａが形成されている。【選択図】図１
2012016236.tif 000002
【特許請求の範囲】
【請求項１】
回転子ヨークの外周にセグメントに分割された複数の永久磁石が配置され、前記永久磁石の外周に環状に形成された非磁性材よりなる永久磁石カバーに覆われて一体に組み付けられたインナーロータ型モータの永久磁石型回転子であって、
前記永久磁石カバーは、前記永久磁石の外周に組み付ける前の内径が、前記永久磁石の外径より小径な環状に形成されており、かつ、周方向に１つまたは複数の伸縮可能な伸縮部が形成されていることを特徴とする永久磁石型回転子。
【請求項２】
前記伸縮部は、隣接する前記永久磁石どうしの隙間に回転子の径方向内側若しくは外側に折れ曲がり状に形成されている請求項１記載の永久磁石型回転子。
【請求項３】
前記伸縮部は、少なくとも軸対称となる位置に一対設けられている請求項１又は請求項２記載の永久磁石型回転子。
【発明の詳細な説明】
【技術分野】
【０００１】
本発明は、電動機に用いられる永久磁石型回転子に関する。
【背景技術】
【０００２】
電動機にはロータとステータが設けられている。ステータには、モータコイルがインシュレータを介してティース部に巻きつけられるステータコアが設けられている。
例えばインナーロータ型のブラシレスモータの場合、モータの回転子ヨークの外周面にセグメントに分割された複数の永久磁石を接着剤を介して接着したり、回転子ヨークと永久磁石を一体にモールドしたりすることにより組み付けることが行われている。
【０００３】
また、永久磁石の固定及び飛散防止として、回転子ヨークに組み付けられた永久磁石の外周面を覆う円筒状カバーが設けられている。例えば永久磁石の外径より大きな内径を有する非磁性体の円筒状カバーを外嵌させた後、隣接する永久磁石の外周面の間に形成された溝状凹部に対向する円筒状カバーを径方向内側へ塑性変形させて永久磁石に密着させる組立方法が提案されている（特許文献１参照）。
【０００４】
或いは、ロータをとり囲む非磁性体の筒状カバーに、隣接する永久磁石間に介在し、ロータの周方向に関する永久磁石の間隔を規制する複数の凸条を設けて永久磁石どうしの周方向の相対移動を規制した電動モータが提案されている。凸条には軸方向に一端側が幅広となるテーパー面が形成されており、該テーパー面の楔作用で永久磁石を周方向に位置決めするようになっている（特許文献２参照）。
【先行技術文献】
【特許文献】
【０００５】
【特許文献１】特開平６−２８４６５０号公報
【特許文献２】特開２００９−１７１７３６号公報
【発明の概要】
【発明が解決しようとする課題】
【０００６】
上述した回転子ヨークに永久磁石を接着剤で固定する場合、接着は強度のばらつきを生じ易いうえに、湿度や薬品の影響や経年変化を起こしやすく、また１００℃を超えるような環境下では、一般的に接着強度の低下がみられるため、固定強度を維持することが難しい。
また、モールドによる固定方法も、温度変化によってモールド樹脂の膨張や強度などの特性が変化し、回転子が何らかの薬品、油脂等に触れる場合には膨潤やケミカルアタックを起こす可能性があり、信頼性の確保が難しい。
特に、車載用モータにおいては、過酷な使用環境を想定して−４０℃から１５０℃の温度変化に耐え得る性能が求められる場合もある。
【０００７】
また、上述した引用例１においては、円筒状カバーを塑性変形させているため、材料の伸びやスプリングバックなどにより永久磁石との間に隙間が発生し易い。
また、円筒状カバーを溝状凹部に向けて塑性変形させる際に強く押し潰すと永久磁石が欠けたり割れたりするおそれもある。
また、引用例２においては、永久磁石を凸条に軸方向に一端側が幅広となるテーパー面の楔作用で周方向に位置決めしているが、温度変化によって回転子を構成する部品間に熱膨張差が生じた場合、筒状カバーの幅広の一端側は周方向に伸縮することができず、内部応力が永久磁石やカバーに対して部分的に強まって永久磁石やカバーの破損を起こすおそれがある。
【０００８】
本発明はこれらの課題を解決すべくなされたものであり、その目的とするところは、永久磁石カバーを外嵌する際の組付け公差を大きく取り、なおかつ各回転子構成部品に過大な力をかけることなく、更に温度変化に応じて熱膨張や熱収縮を繰り返す環境下に置かれても永久磁石や永久磁石カバーの破損を防ぎ、かつ永久磁石の飛散を防ぐことが可能な永久磁石型回転子を提供することにある。
【課題を解決するための手段】
【０００９】
本発明は上記目的を達成するため、次の構成を備える。
回転子ヨークの外周にセグメントに分割された複数の永久磁石が配置され、前記永久磁石の外周に環状に形成された非磁性材よりなる永久磁石カバーに覆われて一体に組み付けられたインナーロータ型モータの永久磁石型回転子であって、前記永久磁石カバーは、前記永久磁石の外周に組み付ける前の内径が、前記永久磁石の外径より小径な環状に形成されており、かつ、周方向に１つまたは複数の伸縮可能な伸縮部が形成されていることを特徴とする。
上記永久磁石型回転子を用いれば、永久磁石カバーは伸縮可能、すなわちバネ性を持っているため、永久磁石外周より小径なカバーを組み付ける際も過大な力をかけることなく嵌め込むことができ、永久磁石を永久磁石カバー内壁面と回転子ヨーク外壁面との間に挟み込んで固定することができる。また、隣り合う永久磁石間に形成される空間部のいずれかに伸縮可能な伸縮部が形成されているので、温度変化による部品間膨張差が生じて永久磁石カバーと永久磁石の径寸法に差が生じたとしても伸縮部が伸縮しても永久磁石カバーや永久磁石に過大な応力がかかることがなく、回転子構成部品の破損等を防ぐことができる。また回転子構成部品に緩みを生ずることもない。
【００１０】
また、前記伸縮部は、隣接する前記永久磁石どうしの隙間に回転子の径方向内側若しくは外側に折れ曲がり状に形成されていることを特徴とする。
これにより、組付け及び温度変化による部品間膨張差で永久磁石カバーに過大な引張り力がかかった場合、伸縮部の折れ曲がり角度が大きくなることにより永久磁石カバーの伸びを許容し、永久磁石に作用する内部応力を緩和することができる。逆に熱膨張差で回転子構成部品間に緩みが生じるような場合は、伸縮部の折れ曲がり角度が小さくなることにより永久磁石カバーの縮小を許容するので、固定力の減少を抑制することができる。
【００１１】
また、前記伸縮部は、少なくとも軸対称となる位置に一対設けられていることを特徴とする。
これによれば、永久磁石は周方向には伸縮部の弾性によって磁石カバーと平面部との間に挟み込まれて位置決めされるので、遠心力等の負荷が小さな電動機においては接着剤によらないで永久磁石を組み付け固定することができる。
【発明の効果】
【００１２】
上述した永久磁石型回転子を用いれば、永久磁石カバーを外嵌する際の組付け公差を大きく取り、なおかつ各回転子構成部品に過大な力をかけることなく、更に温度変化によって熱膨張や熱収縮を繰り返す環境下に置かれても永久磁石や永久磁石カバーの破損を防ぎ、永久磁石の飛散を防ぐことが可能になるという有用な永久磁石型回転子を提供することができる、という効果を奏する。
【図面の簡単な説明】
【００１３】
【図１】永久磁石型回転子の正面図である。
【図２】永久磁石型回転子の一部拡大斜視図である。
【図３】永久磁石型回転子の組み立て構成を示す説明図である。
【図４】永久磁石型回転子の組み立て構成を示す説明図である。
【図５】永久磁石型回転子の組み立て構成を示す説明図である。
【図６】他例に係る永久磁石型回転子の正面図である。
【図７】他例に係る永久磁石型回転子の斜視図である。
【図８】他例に係る永久磁石型回転子の一部拡大斜視図である。
【発明を実施するための形態】
【００１４】
以下、本発明に係る永久磁石型回転子の実施形態について、添付図面を参照しながら説明する。本実施形態では、車載用のインナーロータ型ＤＣブラシレスモータに用いられる永久磁石型回転子について説明する。
【００１５】
図１及び図２を参照して、インナーロータ型ＤＣブラシレスモータの概略構成について説明する。
永久磁石型回転子１は、シャフト２に磁性体である回転子ヨーク３が一体に組み付けられている。この回転子ヨーク３の外周面は多角形に加工された平面部３ａが形成されている。この平面部３ａにセグメントに分割された永久磁石４が組み付けられている。永久磁石４は、その外周側を筒状の永久磁石カバー５に覆われて一体に組み付けられている。永久磁石４は、回転子ヨーク３の平面部３ａに吸着するが、信頼性確保のため接着剤を塗布して組み付けられる。また、永久磁石カバー５は、回転子ヨーク３の周囲に組み付けられた永久磁石４の飛散を防ぐため設けられている。
【００１６】
上記永久磁石型回転子１の周囲には、環状に形成されたステータコアから径方向中心に向けて突設されたティース部（磁極部）が各々対向配置されている。ステータコアはインシュレータに覆われており、インシュレータを介して各ティース部にはモータコイルが各々巻き付けられている。
【００１７】
ここで永久磁石型回転子１の構成について図３乃至図５を参照して組立構成と共に説明する。
図３において、永久磁石カバー５は、永久磁石４の外径より小径な環状に形成されている。永久磁石カバー５は、隣り合う永久磁石４間に形成される空間部６のいずれかに伸縮可能な伸縮部５ａが形成されている。本実施例では各空間部６に対応して複数の伸縮部５ａが設けられている。
【００１８】
このように、永久磁石カバー５は、永久磁石４の外径より小径な環状に形成されているので、図４に示すように回転子ヨーク３の接着剤が塗布された平面部３ａに永久磁石４を各々吸着したまま軸方向に嵌め込むことで、図５に示すように永久磁石４を永久磁石カバー内壁面５ｂと回転子ヨーク外壁面（平面部３ａ）との間に挟み込んで固定することができる。また、隣り合う永久磁石４間に形成される各空間部６に伸縮可能な伸縮部５ａが形成されているので、永久磁石カバー５が熱膨張及び熱収縮しても伸縮部５ａが伸縮して永久磁石カバー５や永久磁石４に過大な応力がかかることがないので、回転子構成部品の破損等を防ぐことができる。
【００１９】
また、伸縮部５ａは、隣接する永久磁石４どうしの空間部６に回転子の径方向内側に折れ曲がり状（リブ形状）に形成されている。
これによれば、組付け及び温度変化による回転子構成部品間の膨張差で永久磁石カバー５に過大な引張り力がかかった場合、伸縮部５ａの折れ曲がり角度が大きくなることにより永久磁石カバー５の伸びを許容し、永久磁石カバー５及び永久磁石４に作用する内部応力を緩和することができる。逆に熱膨張差で回転子構成部品間に緩みが生じるような場合は、伸縮部５ａの折れ曲がり角度が小さくなることにより永久磁石カバー５の縮小を許容するので、永久磁石４に作用する内部応力を緩和することができる。
【００２０】
また、伸縮部５ａは、少なくとも軸対称となる位置に一対設けられているのが望ましく、本実施例では五対設けられている。これによれば、永久磁石４は周方向には伸縮部５ａの弾性によって平面部３ａと永久磁石カバー５との間に挟み込まれて位置決めされるので、遠心力等の負荷が小さい場合には接着剤によらないで永久磁石４を組み付け固定することができる。
【００２１】
次に、永久磁石カバー５の他例について図６乃至図８を参照して説明する。
本実施例は、永久磁石カバー５の形成される伸縮部５ａは、隣接する永久磁石４どうしの空間部６に回転子の径方向外側に折れ曲がり状（リブ形状）に形成されている。この伸縮部５ａの回転子外周からの突出量は、図示しないステータコアのティース部と干渉しない程度の突出量に設定される。
【００２２】
永久磁石カバー５は、永久磁石４の外径より小径な環状に形成されており、回転子ヨーク３に永久磁石４を吸着したまま軸方向に圧入することで、当該永久磁石４を永久磁石カバー内壁面５ｂと回転子ヨーク外壁面（平面部３ａ）との間に挟み込んで固定する点は同様である。
【００２３】
永久磁石カバー５は非磁性の金属材（例えばＳＵＳ３０４；ステンレススチール）が好適に用いられる。伸縮部５ａの形態、即ちリブ状は特に限定されないが、複数箇所であって好ましくは対向位置で少なくとも一対形成されているとばね性を有しているので、永久磁石カバー５が永久磁石４の外径より小径な環状に形成されていても圧入力が過大となることはない。よって回転子構成部品の破損や作業性への負担も軽減することができる。
また、部品寸法公差を厳しくして圧入代を管理する負担も軽減される。また、遠心力の付加が小さい回転子においては接着剤によらない固定方法も可能になる。
【００２４】
上記実施例は車載用のインナーロータ型のＤＣブラシレスモータについて説明したが、他の用途の電動機にも適用することができる。
【符号の説明】
【００２５】
１  永久磁石型回転子
２  シャフト
３  回転子ヨーク
３ａ  平面部
４  永久磁石
５  永久磁石カバー
５ａ  伸縮部
５ｂ  永久磁石カバー内壁面
６  空間部
【図１】
2012016236.tif 000003
【図２】
2012016236.tif 000004
【図３】
2012016236.tif 000005
【図４】
2012016236.tif 000006
【図５】
2012016236.tif 000007
【図６】
2012016236.tif 000008
【図７】
2012016236.tif 000009
【図８】
2012016236.tif 000010